Podtech/llm-jp-corpus-v4-ja_patent huggingface dataset:
(57)【要約】      （修正有）【課題】スイング時の頭の動きを止めバッティングポイントに最短軌道でスイングができるように、スイングの基本を習得する器具を提供する。【解決手段】ロープ１に伸縮ゴム２を挟み込み、ロープ１の両サイドの固定と伸縮ゴム２を垂直に地面に固定し、スイングで構える位置を標的伸縮ゴム２から３０ｃｍ離れた所にスイングの利き足のつま先がくる様にスタンスを取り、スイングで構えた頭の位置と標的伸縮ゴムの距離を確認しスイング時の頭の動きを止める、且つ、標的伸縮ゴム２に当たらないようにバッティングポイントに最短軌道でスイングをする事によって、スイングの基本を習得する。また、ロープ１を長くし、３ｍ間隔に標的伸縮ゴム２をロープ１に取付け地面に固定する事で数十名同時に上述の様にスイングの基本を習得できる。【選択図】図１
0003176557.tif 000002
【実用新案登録請求の範囲】
【請求項１】
スイング軌道として、標的伸縮ゴムの位置を右打ちは右足・左打ちは左足つま先から約３０ｃｍ前方で縦一筋の標的なるようにスタンスを取り、標的伸縮ゴムにバットが当たらないようにスイングする事で、最短軌道でバッティングポイントを振り抜くスイングの習得、且つ、スイングで構えた時の頭の位置と標的伸縮ゴムの距離を確認し、スイング後に頭の位置移動など、スイング時の頭の動きを止め最短軌道でバッティングポイントを振り抜くスイング軌道を身に付け、基本スイング習得器具。
【請求項２】
標的伸縮ゴムを取り付けるロープを長くし、３ｍ間隔に標的の伸縮ゴムを複数取り付けることによって、数十人同時に上述の様にスイングの習得器具。
【考案の詳細な説明】
【技術分野】
【０００１】  スイングの基本を習得するためのスイング練習器具
【背景技術】
【０００２】  スイング練習の際、理論的な基本を頭では理解できていても、実際のスイングの中で基本通り出来ているのか判断が付かず、スイング癖が付いていた。
【考案の概要】
【考案が解決しようとする課題】
【０００３】  頭の中での理解したスイングの基本を習得するにあたって、実際にスイング練習を行った際の違いが解り辛かったが、スイング軌道の標的を明確にする事で、スイング毎に基本軌道を自分で確認することができ、前述の欠点を解消するものである。
【課題を解決するための手段】
【０００４】  スイング軌道の標的の位置を、右打ちは右足・左打ちは左足つま先から約３０ｃｍ前方になるようにスタンスを取り、標的にバットが引っかからないようにスイングする事で、最短軌道でバッティングポイントへ振り抜く事になり、スイング基本の習得、且つ、スイングで構えた時の頭の位置と標的の距離がスイング後に体が移動し、頭の位置が変わっていないかを確認する事で、スイング軌道及びスイング軸のズレなどスイング癖が付く問題点を解決している。
【考案の効果】
【０００５】  スイング軌道の標的材質を伸縮ゴムにて縦一筋のラインのみなので、スイングの際の違和感や恐怖感がなく、スイング中に標的に当たってもバットに沿って標的の伸縮ゴムが伸び体への負担も無く安全性も確保し、スイング毎に基本スイングを自分で確認する事が出来る。また、標的伸縮ゴムを取り付けるロープを長くし３ｍ間隔に標的の伸縮ゴムを取り付けると、数十名同時に上述の様にスイングの基本を習得。
【図面の簡単な説明】
【０００６】
【図１】個人用スイング練習器具
【図２】数十人が同時にスイング練習できる器具
【考案を実施するための形態】
【０００７】  スイング練習を行う広さにて１ロープの長さは変化するが、個人用としては１ロープの長さ５ｍで、片端から３ｍの所に２標的伸縮ゴム長さ２ｍの片端をロープ網目に差し込み貫通させる。（その際伸縮ゴムの抜け防止のため伸縮ゴム端部に括り目を作る）２標的伸縮ゴムを取り付けた１ロープを地面から高さ２〜２．５ｍの高さになるように両端を３フックにて固定。ぶら下がっている２標的伸縮ゴムを１ロープに対し垂直になるように４アンカーピンにて地面に固定し、スイング練習器具の準備完了。
【実施例】
【０００８】  ２標的伸縮ゴム取り付けられた位置の３ｍ側で、１ロープに対しクロスするように向き、右打ちは右足・左打ちは左足つま先が２標的伸縮ゴムから３０ｃｍ離れるようにスタンスを取り、２標的伸縮ゴムに当たらないようにスイングする。【０００９】  スイング方法としては、２標的伸縮ゴムに対し所定の位置で構え、バットのグリップからバッティングポイントに向かって振り始め、バットのヘッドが２標的伸縮ゴムを通過と同時にバットのヘットがバッティングポイントを振り抜くようにスイングを行う事で、スイングの基本を習得する。【００１０】  スイングの際、構えた時の頭の位置と２標的伸縮ゴムの距離を確認しておき、スイング後の頭の位置が２標的伸縮ゴムから離れたり、近づいたりしていないかを確認し、意識しながらスイングする事によってスイング時の頭の動きを止める。【００１１】  運動場等の広いスペースにて複数の人数でスイングする時は、１ロープの長さを長くし、３ｍ間隔で人数分の２標的伸縮ゴムを取付け、地面に固定する事で数十人同時に上述の様にスイングの基本の習得ができる。その際ロープが垂れて高さが低くなることがありますので、各チームで保有している２ｍ角のネットを間に置き垂れを防止し高さを確保する。
【符号の説明】
【００１２】  １  ロープ（ポリエチレンロープ直径６又９ｍｍ、長さ５ｍ）
２  伸縮ゴム（幅６ｍｍ、長さ２ｍ）
３  Ｓ字フック
４  アンカーピン
【図１】
0003176557.tif 000003
【図２】
0003176557.tif 000004
【手続補正書】
【提出日】平成24年4月5日(2012.4.5)
【手続補正１】
【補正対象書類名】実用新案登録請求の範囲
【補正対象項目名】全文
【補正方法】変更
【補正の内容】
【実用新案登録請求の範囲】
【請求項１】
スイング軌道として、標的伸縮ゴムの位置を右打ちは右足・左打ちは左足つま先から約３０ｃｍ前方で縦一筋の標的なるようにスタンスを取り、標的伸縮ゴムにバットが当たらないようにスイングする事で、最短軌道でバッティングポイントを振り抜くスイングの習得、且つ、スイングで構えた時の頭の位置と標的伸縮ゴムの距離を確認し、スイング後に頭の位置移動など、スイング時の頭の動きを止め最短軌道でバッティングポイントを振り抜くスイング軌道を身に付けるための基本スイング習得器具であって標的伸縮ゴムをロープに取り付けロープを地面から高さ２〜２．５ｍｍの高さになる様に両端を固定した事を特徴とする基本スイング習得器具。
【請求項２】
伸縮ゴムを複数取り付けることによって、数十人同時にスイングの習得ができる事を特徴とする請求項１記載の基本スイング習得器具。
(57)【要約】      （修正有）【課題】ペットボトルの蓋に突起をつけることで、力の弱い子供や高齢者および女性でも容易に開栓できるようにしたペットボトルの蓋を提供する。【解決手段】ペットボトルＣのプラスチック等の素材で出来た蓋Ａに突起Ｂを成形等により形成する。使用に当たっては、左手でペットボトルＣを支え、右手で突起物Ｂを含む蓋部分を握り、左又は右に回すことで、ペットボトルＣの蓋Ａが容易に開栓できる様になる。【選択図】図１
0003176551.tif 000002
【実用新案登録請求の範囲】
【請求項１】
飲料水その他のペットボトル類の蓋に、突起を設ける。
【考案の詳細な説明】
【技術分野】
【０００１】  本考案は、ペットボトル等の蓋部分に突起を設けたものである。
【背景技術】
【０００２】  従来のペットボトル等の蓋は小さく、汗等で滑る為、力の弱い子供、高齢者、女性などには蓋が開けにくかった。
【考案の概要】
【考案が解決しようとする課題】
【０００３】  今までのペットボトル等の蓋は小さく、汗等で滑る為、力の弱い子供、高齢者、女性には開けにくかった。
【課題を解決するための手段】
【０００４】  ペットボトルの蓋部分に、突起物を設ける。
【考案の効果】
【０００５】  ペットボトルの蓋部分に、突起物を設けることにより、蓋を開ける時に指が突起部分に引っかかるので、滑らずに弱い力でも容易に蓋を開けることが可能となる。
【図面の簡単な説明】
【０００６】
【図１】Ａは本考案のふたあーくの実施例を示す正面図である。
【図２】本考案平面図である。
【考案を実施するための形態】
【０００７】  ペットボトルの蓋に突起を設け、仮に左手でペットボトル等を支え、右手で突起物を含む蓋部分を握り、左右に回すと、ペットボトル等の蓋が容易に開閉できる。
【実施例】
【０００８】  以下添付図面に従って、実施例を説明する。
Ｃは、ペットボトル類本体である。
Ａは、プラスチック等の素材でベットボトル等の蓋である。
その蓋に、Ｂの突起を設けた。
【産業上の利用可能性】
【０００９】  これまで、非力などで利用を控えていた隠れた消費者に対して、需要の掘り起こしが見込まれ、消費量の増大を見込める事と、突起物を付加する事は簡単な成型技術で対応できるため利用価値は高いものと想定する。
また、これまで開けられなかった消費者の尊厳の回復にも寄与するものと思慮する。
【符号の説明】
【００１０】  Ａ    蓋
Ｂ    突起
Ｃ    ペットボトル
【図１】
0003176551.tif 000003
【図２】
0003176551.tif 000004
【手続補正書】
【提出日】平成24年4月5日(2012.4.5)
【手続補正１】
【補正対象書類名】実用新案登録請求の範囲
【補正対象項目名】全文
【補正方法】変更
【補正の内容】
【実用新案登録請求の範囲】
【請求項１】
飲料水その他のペットボトルの蓋に突起を設けた蓋
【手続補正３】
【補正対象書類名】明細書
【補正対象項目名】０００６
【補正方法】変更
【補正の内容】
【０００６】
【図１】Ｃはペットボトル本体、Ａはペットボトルの蓋、Ｂはペットボトルの蓋に突起を設けた部分の実施例を示す立面図である。
【図２】Ａはペットボトルの蓋、Ｂはペットボトルの蓋部分に突起を設けた実施例の平面図である。
(57)【要約】      （修正有）【課題】ネクタイに素材、色、柄以外の機能をつけるべく、ネクタイの裏側にポケットをつけることにより、その中にお守り、匂い袋や切符などを入れられるようにしたネクタイを提供する。【解決手段】ネクタイの内側の裏打ちのされた裏地に、同色のポケットを縫い付けて、ネクタイを形成する。【選択図】図１
0003176599.tif 000002
【実用新案登録請求の範囲】
【請求項１】
ネクタイの裏側にポケットを付けた構造。
【考案の詳細な説明】
【技術分野】
【０００１】この考案はネクタイの裏側に小さなポケットが付いた構造。
【背景技術】
【０００２】ネクタイの内側裏打ちされた裏地に同色のポケットを縫いつける。
【考案が解決しようとする課題】
【０００３】今までのネクタイと言えば素材、色、柄などの違いで他の機能が付いていることは有りませんでした。
【考案の効果】
【０００４】この考案ではポケットを付けることによりポケットの中にお守りや、匂い袋、切符などを入れることが出来る。
【図面の簡単な説明】
【０００５】
【図１】ネクタイ裏
【図２】ネクタイ
【符号の説明】
【０００６】１０  ネクタイ
１１  ポケット
１２  裏地
【図１】
0003176599.tif 000003
【図２】
0003176599.tif 000004
(57)【要約】【課題】  携帯端末に対して容易に装着可能な携帯端末用お守りを提供する。【解決手段】  携帯端末用お守り１は、内部に御内符を収めたお守り本体１１と、スマートフォン２のイヤホンジャック２１に係合可能な樹脂製の係合部１５と、お守り本体１１と係合部１５とを連結する索状体からなる連結部材としての紐１４とを備える。紐１４には、小判１２と鈴１３とが係止されている。この携帯端末用お守り１をスマートフォン２に装着するときには、係合部１５をスマートフォン２におけるイヤホンジャック２１に挿入する。【選択図】        図３
0003176521.tif 000002
【実用新案登録請求の範囲】
【請求項１】
内部に御内符を収めたお守り本体と、
携帯端末のイヤホンジャックに係合可能な係合部と、
前記お守り本体と前記係合部とを連結する連結部材と、
を備えたことを特徴とする携帯端末用お守り。
【請求項２】
請求項１に記載の携帯端末用お守りにおいて、
前記連結部材は索状体から構成される携帯端末用お守り。
【請求項３】
請求項２に記載の携帯端末用お守りにおいて、
前記索状体に係止された鈴をさらに備える携帯端末用お守り。
【考案の詳細な説明】
【技術分野】
【０００１】
この考案は、スマートフォン、ミュージックプレーヤー、ゲーム機等の携帯端末に使用する携帯端末用お守りに関する。
【背景技術】
【０００２】
授与品の一種であるお守りは、従来、財布に入れて携帯され、あるいは、家庭内に保管されている。このため、日常的に成就祈願を行うことはなく、また、お守りの存在自体を忘れてしまうこともある。
【０００３】
特許文献１には、お守り札を付設した携帯電話用ストラップが提案されている。
【先行技術文献】
【特許文献】
【０００４】
【特許文献１】実用新案登録第３０６０９３７号公報
【考案の概要】
【考案が解決しようとする課題】
【０００５】
携帯電話用ストラップは、携帯電話を携帯および操作するときに使用するものであることから、携帯電話用ストラップにお守りを付設すると、お守りが損傷を受けやすい。また、お守りを装着する場合や、お守りを取り替える場合に、その操作が面倒であるという問題も生ずる。
【０００６】
この発明は上記課題を解決するためになされたものであり、携帯端末に対して容易に装着可能な携帯端末用お守りを提供することを目的とする。
【課題を解決するための手段】
【０００７】
請求項１に記載の考案は、内部に御内符を収めたお守り本体と、携帯端末のイヤホンジャックに係合可能な係合部と、前記お守り本体と前記係合部とを連結する連結部材とを備えたことを特徴とする。
【０００８】
請求項２に記載の考案は、請求項１に記載の考案において、前記連結部材は索状体から構成される。  
【０００９】
請求項３に記載の考案は、請求項２に記載の考案において、前記索状体に係止された鈴をさらに備える。
【考案の効果】
【００１０】
請求項１から請求項３に記載の考案によれば、お守りを携帯端末に対して容易に装着し、あるいは、容易に交換することができ、日常的に使用する携帯端末とともに、常に、認識可能な状態で携帯することが可能となる。
【図面の簡単な説明】
【００１１】
【図１】この考案に係る携帯端末用お守り１の正面図である。
【図２】携帯端末用お守り１をスマートフォン２に装着した状態を示す正面図である。
【図３】携帯端末用お守り１をスマートフォン２に装着する状態を示す斜視図である。
【考案を実施するための形態】
【００１２】
以下、この考案の実施の形態を図面に基づいて説明する。図１は、この考案に係る携帯端末用お守り１の正面図である。図２は、携帯端末用お守り１をスマートフォン２に装着した状態を示す正面図である。図３は、携帯端末用お守り１をスマートフォン２に装着する状態を示す斜視図である。
【００１３】
この考案に係る携帯端末用お守り１は、スマートフォンやミュージックプレーヤーあるいはゲーム機等の携帯端末に装着して使用するものである。以下の実施形態では、この考案に係る携帯端末用お守り１をスマートフォン２に装着して使用する場合について説明する。
【００１４】
この考案に係る携帯端末用お守り１は、内部に御内符を収めたお守り本体１１と、図３に示すスマートフォン２のイヤホンジャック２１に係合可能な樹脂製の係合部１５と、お守り本体１１と係合部１５とを連結する索状体からなる連結部材としての紐１４とを備える。紐１４には、「開運厄除」、「交通安全」等の文字が形成された小判１２と、鈴１３とが係止されている。
【００１５】
この携帯端末用お守り１は、寺社において、祈祷を受けた後に販売される。
【００１６】
この携帯端末用お守り１をスマートフォン２に装着するときには、係合部１５をスマートフォン２におけるイヤホンジャック２１に挿入する。また、この携帯端末用お守り１をスマートフォン２から取り外すときには、係合部１５をスマートフォン２におけるイヤホンジャック２１から抜き取る。これにより、携帯端末用お守り１をスマートフォン２に対して、容易に着脱することが可能となる。
【００１７】
このため、この携帯端末用お守り１は、スマートフォン２に対して容易に装着し、あるいは、容易に交換することができ、日常的に使用するスマートフォン２とともに、常に、認識可能な状態で携帯することが可能となる。
【符号の説明】
【００１８】
１      携帯端末用お守り
２      スマートフォン
１１    お守り本体
１２    小判
１３    鈴
１４    紐
１５    係合部
２１    イヤホンジャック
【図１】
0003176521.tif 000003
【図２】
0003176521.tif 000004
【図３】
0003176521.tif 000005
(57)【要約】      （修正有）【課題】実際のスケート運動を模擬することができるスケート運動の模擬器具を提供する。【解決手段】スケート運動の模擬器具は、基部１０と、取っ手２０と、クッションシート３０と、足踏み板５０と、を備える。取っ手２０は、基部１０に回転可能に接続される。クッションシート３０は、基部１０に設けられる。足踏み板５０は、クッションシート３０に設けられ、使用者を支持することに用いられる。【選択図】図１
0003176317.tif 000002
【実用新案登録請求の範囲】
【請求項１】
基部（１０）と、
前記基部に回転可能に接続される取っ手（２０）と、
前記基部に設けられるクッションシート（３０）と、
前記クッションシートに設けられ、使用者を支持することに用いられる足踏み板（５０）と、
を備えることを特徴とするスケート運動の模擬器具。
【請求項２】
前記取っ手は、枢軸（１１）を用いて前記基部に回転可能に接続され、
前記取っ手は、伸縮可能の構造であることを特徴とする請求項１記載のスケート運動の模擬器具。
【請求項３】
前記クッションシートは、中心孔（３１）を有する中空の円柱体（３２）の構造であることを特徴とする請求項１記載のスケート運動の模擬器具。
【考案の詳細な説明】
【技術分野】
【０００１】
本考案は、スケート運動の模擬器具に関するものである。
【背景技術】
【０００２】
従来のスケート運動器具の踏み板は、軌道に沿ってスライドできるだけで、実際のスケート運動を模擬することができない。
【先行技術文献】
【特許文献】
【０００３】
【特許文献１】特開平６−１９８０２２号公報
【考案の概要】
【考案が解決しようとする課題】
【０００４】
本考案は、実際のスケート運動を模擬することができるスケート運動の模擬器具を提供するものである。
【課題を解決するための手段】
【０００５】
本考案のスケート運動の模擬器具は、基部と、取っ手と、クッションシートと、足踏み板と、を備える。取っ手は、基部に回転可能に接続される。クッションシートは、基部に設けられる。足踏み板は、クッションシートに設けられる。
これにより、実際のスケート運動を模擬することができる。
【図面の簡単な説明】
【０００６】
【図１】本考案の一実施形態によるスケート運動の模擬器具の斜視図である。
【図２】本考案の一実施形態によるスケート運動の模擬器具の斜視図である。
【図３】本考案の一実施形態によるスケート運動の模擬器具の分解斜視図である。
【図４】図３の４−４線断面図である。
【図５】本考案の一実施形態によるスケート運動の模擬器具の作動を説明する斜視図である。
【図６】本考案の一実施形態によるスケート運動の模擬器具の作動を説明する斜視図である。
【図７】本考案の一実施形態によるスケート運動の模擬器具の作動を説明する側面図である。
【図８】本考案の一実施形態によるスケート運動の模擬器具の作動を説明する側面図である。
【図９】本考案の一実施形態によるスケート運動の模擬器具の作動を説明する正面図である。
【図１０】本考案の一実施形態によるスケート運動の模擬器具の作動を説明する正面図である。
【考案を実施するための形態】
【０００７】
以下、本考案の実施の形態を図面に基づいて説明する。
（一実施形態）
本考案の一実施形態によるスケート運動の模擬器具は、図１から図３に示すように、基部１０と、枢軸１１を用いて基部１０に回転可能に接続される一対の取っ手２０と、を備える。取っ手２０は、枢軸１１を軸として前後または左右に回転することができる。取っ手２０は、伸縮不能の構造でもよいし、弾性伸縮可能の構造でもよい。
【０００８】
クッションシート３０は、基部１０に固定して設けられる。クッションシート３０は、中実または中空状のものである。例えば、図４に示すように、中心孔３１を有して中空の円柱体３２を形成する。これにより、弾性のある圧迫されて変形する構造に形成することができる。また、更に環凹溝３３を形成し、弾性を増やすことができる。
【０００９】
足踏み板５０は、クッションシート３０に設けられて使用者８を支持することに用いられる。足踏み板５０のサイズまたは面積は、クッションシート３０のサイズまたは面積よりも大きい。そのため、足踏み板５０の周縁個所５１は、クッションシート３０を越え、足踏み板５０の周縁個所５１は、軽易にクッションシート３０を上下に圧迫する。かつ足踏み板５０は、図７から図１０に示すように、クッションシート３０に相対して少々前後、左右、または、側面方向に移動することができる。これにより、使用者８は、本当のまたは実際のスケート運動の動作を模擬することができる。
【００１０】
操作時は、図５および図６に示すように、使用者８は、取っ手２０を伸縮または圧縮し、並びに枢軸１１を軸として前後または左右に回せば本当のまたは実際のスケート運動を模擬することができる。図７から図１０に示すように、使用者８は、足踏み板５０によってクッションシート３０を前後、左右、または、側面方向に移動することができる。
【符号の説明】
【００１１】
１０・・・基部
１１・・・枢軸
２０・・・取っ手
３０・・・クッションシート
３１・・・中心孔
３２・・・中空円柱体
３３・・・環凹溝
５０・・・足踏み板
５１・・・周縁個所
【図１】
0003176317.tif 000003
【図２】
0003176317.tif 000004
【図３】
0003176317.tif 000005
【図４】
0003176317.tif 000006
【図５】
0003176317.tif 000007
【図６】
0003176317.tif 000008
【図７】
0003176317.tif 000009
【図８】
0003176317.tif 000010
【図９】
0003176317.tif 000011
【図１０】
0003176317.tif 000012
(57)【要約】【課題】  げっ歯類の行動習性を利用して発電を行い、これにより得られた電力を各種イルミネーションなどに活用することを可能にする発電システムを提供することである。【解決手段】  げっ歯類の飼育かご（１２）の内部に配置された回し車（１４）と、回し車を回転可能に支持するための回転軸（１６）と、回転軸に接続された発電機（１８）とを備え、げっ歯類が回し車内で運動することにより発電が行われるように構成されていることを特徴とする発電システム（１０）が提供される。【選択図】  図１
0003176316.tif 000002
【実用新案登録請求の範囲】
【請求項１】
げっ歯類の習性を利用した発電システムであって、
げっ歯類の飼育かごの内部に配置された回し車と、
前記回し車を回転可能に支持するための回転軸と、
前記回転軸に接続された発電機とを備え、
げっ歯類が前記回し車内で運動することにより発電が行われるように構成されていることを特徴とする発電システム。
【請求項２】
前記発電機に蓄電池が接続されていることを特徴とする請求項１に記載された発電システム。
【考案の詳細な説明】
【技術分野】
【０００１】
本考案は一般に、発電システムに関する。より詳細には、本考案は、げっ歯類の習性を利用した発電システムに関する。本考案の発電システムは、種々のイベント時における各種照明、理科用教材、置物や装飾品の照明などの広範な用途において使用することができる。
【背景技術】
【０００２】
ハムスター、リス、ネズミなどのげっ歯類は、小型の哺乳類であるが、運動量がきわめて大きい動物である。したがって、かご内でペットとして飼育する際には、運動不足を解消するために、かご内に回し車を設置することが知られている。
【０００３】
一方、各種イベントなどに際して、照明や装飾のために、イルミネーションを使用することが多い。
【考案の概要】
【考案が解決しようとする課題】
【０００４】
しかしながら、専ら装飾用としてイルミネ−ションを点灯すると、電力をいたずらに消費するのみで、省エネルギーの観点からは好ましくない。
【０００５】
本考案は、このような状況に鑑みて開発されたものであって、げっ歯類の行動習性を利用して発電を行い、これにより得られた電力を各種イルミネーションなどに活用することを可能にする発電システムを提供することを目的としている。
【課題を解決するための手段】
【０００６】
本願請求項１に記載のげっ歯類の習性を利用した発電システムは、げっ歯類の飼育かごの内部に配置された回し車と、前記回し車を回転可能に支持するための回転軸と、前記回転軸に接続された発電機とを備え、げっ歯類が前記回し車内で運動することにより発電が行われるように構成されていることを特徴とするものである。
【０００７】
本願請求項２に記載の発電システムは、前記請求項１のシステムにおいて、前記発電機に蓄電池が接続されていることを特徴とするものである。
【考案の効果】
【０００８】
本考案の発電システムによれば、発電がげっ歯類の行動のみに依存しており、構造も極めて簡単であるので、低コストで電気を得ることができる。本考案の発電システムでは、げっ歯類の飼育が前提となるので、子供の情操教育に資するとともに、話題性にも富んでいる。さらに、本考案の発電システムでは、発電の仕組みを学ぶことができるので、理科用教材として使用することもできる。
【図面の簡単な説明】
【０００９】
【図１】本考案の好ましい実施の形態に係る発電システムの全体を示した正面図である。
【図２】図１の発電システムの側面図である。
【図３】図１の発電システムの要部を模式的に示した拡大図である。
【考案を実施するための形態】
【００１０】
次に添付図面を参照して、本考案の好ましい実施の形態に係る発電システムについて詳細に説明する。図１は、本考案の好ましい実施の形態に係る発電システムの正面図である。図１において全体として参照符号１０で示される発電システムは、げっ歯類の飼育かご１２の内部に配置された回し車１４を備えている。回し車１４は、飼育されるげっ歯類（例えば、ハムスター）がその内部に入ることができる程の大きさを有している。
【００１１】
回し車１４は、回転軸１６を中心として回転するように構成されており、回転軸１６には、発電機１８が接続されている。発電機１８自体は、公知のものを使用してよい。なお、発電機１８に変速機（図示せず）を設けてもよい。
【００１２】
発電機１８は、電線２０を介して、クリスマスツリーに飾られたＬＥＤランプ２２に接続されている。
【００１３】
好ましくは、発電機１８には、蓄電池２４が接続されている（図３参照）。蓄電池２４は、任意の公知の型式のものを用いてよい。
【００１４】
発電システム１０の使用に際して、ハムスターが回し車１４内で走り始めると、回し車１４が回転軸１６を中心として回転し、回転軸１６に接続された発電機１８で発電が行われ、ＬＥＤランプ２２が点灯することとなる。発電機１８に蓄電池２４を接続しておけば、ハムスターの活動の有無を問わず、所望時にＬＥＤランプ２２を点灯させることができる。
【００１５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１６】
たとえば、前記実施の形態では、１基の回し車１４が設置されているが、複数基の回し車を設置してもよい。また、図示されている飼育かごの形状、回し車の形状や設置箇所、イルミネーションの対象物（クリスマスツリーのＬＥＤランプ）などは、単なる例示的なものにすぎない。
【符号の説明】
【００１７】
１０  発電システム
１２  飼育かご
１４  回し車
１６  回転軸
１８  発電機
２０  電線
２２  ＬＥＤランプ（イルミネーション対象物）
２４  蓄電池
【図１】
0003176316.tif 000003
【図２】
0003176316.tif 000004
【図３】
0003176316.tif 000005
(57)【要約】【課題】高さの調整が可能で、かつ安全性を備える平衡運動器具を提供する。【解決手段】平衡運動器具は、基部１０と、足踏み板２０と、軸枢部材３０と、を備える。足踏み板２０は、基部１０に設けられる。球形の軸枢部材３０は、基部１０に回転可能に接続し、足踏み板２０に連結される。これにより、使用者は、足踏み板２０を踏んで、足踏み板２０および軸枢部材３０を駆動し、基部１０に相対して上下、前後、または、左右のスイング動作を行うことにより、平衡運動の練習に用いられる。【選択図】図１
0003176318.tif 000002
【実用新案登録請求の範囲】
【請求項１】
基部（１０）と、
前記基部に設けられる足踏み板（２０）と、
前記基部に回転可能に接続し、前記足踏み板に連結される球形の軸枢部材（３０）と、
を備えることを特徴とする平衡運動器具。
【請求項２】
前記基部は、前記軸枢部材を回転可能に収容するくぼみ（１１）を有し、
前記軸枢部材は、前記足踏み板に結合される延伸棒（３１）を有することを特徴とする請求項１記載の平衡運動器具。
【請求項３】
前記足踏み板は、前記軸枢部材の前記延伸棒とのねじ付けに用いられる孔（２１）を有し、
前記軸枢部材は、前記延伸棒に固定されるつまみ（３２）を有することを特徴とする請求項２記載の平衡運動器具。
【考案の詳細な説明】
【技術分野】
【０００１】
本考案は、平衡運動器具に関するものである。
【背景技術】
【０００２】
従来の平衡運動器具は、転倒しやすいので、老人または子供の使用には不適切である。
【先行技術文献】
【特許文献】
【０００３】
【特許文献１】実開昭６３−１８２７７０号公報
【考案の概要】
【考案が解決しようとする課題】
【０００４】
本考案の目的は、高さの調整が可能で、かつ安全性を備える平衡運動器具を提供するものである。
【課題を解決するための手段】
【０００５】
本考案の平衡運動器具は、基部と、足踏み板と、軸枢部材と、を備える。足踏み板は、基部に設けられる。球形の軸枢部材は、基部に回転可能に接続し、足踏み板に連結される。これにより、使用者は、足踏み板を踏んで、足踏み板および軸枢部材を駆動し、基部に相対して上下、前後、または、左右のスイング動作を行うことにより、平衡運動の練習に用いられる。
【図面の簡単な説明】
【０００６】
【図１】本考案の一実施形態による平衡運動器具の分解斜視図である。
【図２】本考案の一実施形態による平衡運動器具の斜視図である。
【図３】図２の３−３線断面図である。
【図４】本考案の一実施形態による平衡運動器具の断面図である。
【図５】本考案の一実施形態による平衡運動器具の断面図である。
【図６】本考案の一実施形態による平衡運動器具の使用方法を説明する模式的な正面図である。
【図７】本考案の一実施形態による平衡運動器具の使用方法を説明する模式的な正面図である。
【図８】本考案の一実施形態による平衡運動器具の使用方法を説明する模式的な側面図である。
【図９】本考案の一実施形態による平衡運動器具の使用方法を説明する模式的な側面図である。
【考案を実施するための形態】
【０００７】
以下、本考案の実施の形態を図面に基づいて説明する。
（一実施形態）
本考案の一実施形態による平衡運動器具は、図１から図３に示すように、基部１０を含む。基部１０には半球形のくぼみ１１が設けられ、球形の軸枢部材３０が回転可能に収容される。
足踏み板２０は、基部１０に設けられる。足踏み板２０には、例えばねじ孔のような孔２１が設けられる。軸枢部材３０は、例えばねじ棒のような延伸棒３１を有する。軸枢部材３０の球形部分から突出して形成される延伸棒３１は、足踏み板２０の孔２１にねじ込むことができる。これにより、軸枢部材３０の延伸棒３１が足踏み板２０に相対して回転した場合、足踏み板２０を調整して基部１０に相対して上下に移動し、例えば図４および図５に示すように、異なる高さに調整することができ、安全性が高まる。
【０００８】
つまみ３２は、軸枢部材３０の延伸棒３１に固定される。つまみ３２は、ねじ、ねじ棒またはその他の部材で構成される固定部材３３を用いて延伸棒３１に固定される。これにより、軸枢部材３０の延伸棒３１は、つまみ３２によって基部１０および足踏み板２０に相対して回転し、並びに足踏み板２０を調整して基部１０に相対して上下移動または高さを調整する。足踏み板２０には、更につまみ３２を収納する凹孔２２が設けられる。これにより、つまみ３２は、足踏み板２０から突き出さなくなる。
【０００９】
基部１０及び足踏み板２０は、ゴム、プラスチック、またはその他の人造材料から作成される。軸枢部材３０は、強度の強いプラスチックまたはその他の金属材料から造られたほうがよく、もちろん強度が充分であれば、他の如何なる適当な材料から造られてもよい。
【００１０】
本実施形態による平衡運動器具の使用方法を図６から図９に示す。使用者８は、足踏み板２０を踏んで、足踏み板２０および軸枢部材３０を駆動し、基部１０に相対して上下、前後（図８、図９）、または、左右（図６、図７）のスイング動作を行うことにより、平衡運動の練習に用いられる。
【符号の説明】
【００１１】
１０・・・基部
１１・・・くぼみ
２０・・・足踏み板
２１・・・孔
２２・・・凹孔
３０・・・軸枢部材
３１・・・延伸棒
３２・・・つまみ
３３・・・固定部材
【図１】
0003176318.tif 000003
【図２】
0003176318.tif 000004
【図３】
0003176318.tif 000005
【図４】
0003176318.tif 000006
【図５】
0003176318.tif 000007
【図６】
0003176318.tif 000008
【図７】
0003176318.tif 000009
【図８】
0003176318.tif 000010
【図９】
0003176318.tif 000011
(57)【要約】      （修正有）【課題】大型リチウムイオン電池を国際輸送することが出来る包装容器を提供する。【解決手段】上蓋、上パッド、底パッドが３層の強化ダンボールにて構成され、上パッドの商品と接触する部分に２枚、底パッドの商品と接触する部分に４枚の強化ダンボールをあてる。【選択図】図２
0003176366.tif 000002
【実用新案登録請求の範囲】
【請求項１】
図１、図２、図３、図５の様に包装容器、上蓋、上パッド、底パッドが３層の強化ダンボールにて構成されていることを特徴とする包装容器。
【請求項２】
図３、図５上パッド、底パッドに商品と接触する部分に３層の強化ダンボールを各２枚当てて衝撃を和らげ、容器の破損・破れを抑止する特長とする包装容器。
【請求項３】
図２の底部に強化ダンボールにてフォークエントリーを付けたことにより、底部からの落下時衝撃を和らげ、容器底部の破損・破れを抑止する特徴とする包装容器。
【請求項４】
図１の様に天部に４つのコマを付けることにより、ズレ止めの機能を特徴とする包装容器。
【請求項５】
長辺、短辺に各２本ずつ鉄バンド掛けすることにより、箱の開きを抑止する特徴を持った包装容器。
【考案の詳細な説明】
【技術分野】
【０００１】本考案は、リチウムイオン電池をケースに収納される為の包装容器に関するものである。
【背景技術】
【０００２】従来は、小型（５０Ｋｇ以下）のリチウムイオン電池を収納できる強化ダンボールの容器は、存在している。【０００３】従来は、大型（約２００ｋｇ）のリチウムイオン電池を収納できるアルミ製の容器は、存在している。
【特許文献】特許公開  ２００２−７５３０８
【考案の概要】
【考案が解決しようとする課題】
【０００４】従来の容器は、小型の電池しか収納出来ない強化ダンボール容器もしくは、包装資材コストが高い、且つ重いアルミ製の容器しかなく、輸送コストが高いアルミ製の容器を使い続けなければならない。【０００５】そこで本考案は、２００Ｋｇを超えるリチウム電池を安全に輸送出来、材料コストの安価な強化ダンボールの強固な容器を開発し、且つ軽量の容器（重量：３２ｋｇ−３ｋｇ）かつコンパクト（寸法：１２２ｘ８１５ｘ３１０ｃｍ）の為、輸送コスト・保管コストもセーブ出来る。
【課題を解決する為の手段】
【０００６】本考案の包装容器は、強化ダンボールで製造することにより、軽量、コンパクトを実現できる。
【０００７】本考案の包装容器の外装は、６面３層の強化ダンボールを使用することにより、国連の包装等級１の試験に合格出来る強度を保てる。
【０００８】内側４側面に３層の強化ダンボール各２枚で製品を保護することにより、国連の包装等級１の試験に合格出来る強度を保てる。
【０００９】３層式の底パッドを使用することにより、国連の包装等級１の試験に合格出来る強度を保てる。
【００１０】底パッドの４角に３層の強化ダンボールを３枚敷くことにより、縦横方向に対してリチウムイオン電池を固定出来、外装強化ダンボールの破損を避け、国連の包装等級１の試験に合格出来る強度を保てる。
【００１１】３層式の上パッドを敷くことにより、国連の包装等級１の試験に合格出来る強度を保てる。
【００１２】底部に強化ダンボールで製造したフォークリフト用のエントリーを付け、底部からの落下時に国連の包装等級１の試験に合格出来る強度を保てる。
【考案の効果】
３層式の強化ダンボールを各所で使用することにより、強固で軽量でコンパクトな容器の開発を実現できる。
【図面の簡単な説明】
【００１３】
【図１】本考案の包装容器の上蓋の斜視図である。
【図２】本考案の包装容器の箱の斜視図である。
【図３】本考案の包装容器の上パッドの斜視図である。
【図４】本考案の包装容器の側面パッドの斜視図である。
【図５】本考案の包装容器の底パッドの斜視図である。
【考案を実施する為の形態】
２００ｋｇ以上のリチウムイオン電池の国際航空輸送の出荷があった場合にこの容器に収納し、輸送することにより、物流コスト（梱包資材、航空輸送コスト、トラック輸送コスト、保管コスト）の低減を実現できる。
【産業上の利用可能性】この包装容器は、リチウムイオン電池を国際輸送する時に最適である。
【図１】
0003176366.tif 000003
【図２】
0003176366.tif 000004
【図３】
0003176366.tif 000005
【図４】
0003176366.tif 000006
【図５】
0003176366.tif 000007
【手続補正書】
【提出日】平成24年3月23日(2012.3.23)
【手続補正１】
【補正対象書類名】明細書
【補正対象項目名】００１２
【補正方法】削除
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
上蓋、上パッド、底パッドが３層の強化ダンボールにて構成されていることを特徴とする包装容器。
【請求項２】
上パッド、底パッドに商品と接触する部分に３層の強化ダンボールを上パッド部分に２枚、底パッド部分に４枚当てて衝撃を和らげ、容器の破損・破れを抑止する特長とする包装容器。
(57)【要約】      （修正有）【課題】非伸縮性布生地で作る踵を通さない小口径の裾口を現行パジャマズボン裾末端に取り付けることで就寝中の保温ができるパジャマズボンを提供する。【解決手段】踵を通さない小口径裾口イを既存の裾に取り付ける。踵を通さないから着用中は足首を含む下肢部分は常時裾袋内部にあり足先のみ裾口から出し入れ出来る。下肢部分が外部冷気に晒されることは無い。パジャマズボンの股下長さＢは、現行どおりの寸法とし、起床時、股上部を引き上げると足先が出る。股上部Ｃは深目とし、就寝時には深い股上部が足先部収容の裾補間として働き、起床時には本来の深い股上部になるように形成する。【選択図】図１
0003176367.tif 000002
【実用新案登録請求の範囲】
【請求項１】
非伸縮性布類で造られた踵を通さない小口径の開口裾口を備えたパジャマズボン。
【考案の詳細な説明】
【考案の技術分野】
【０００１】本考案は着用中足の踵より上部分を常時保温出来るパジャマズボンに関する。
【考案の技術背景】
【０００２】    人体の足首部分には下半身を巡って体内で暖められた血液が心臓に戻る返り点があって大静脈血流となり特に脛部分では表面層近くを血液が流れている。従って冷気等で血液が冷やされ易く就寝中の全身保温にとって足首と脛部分の保温が最も重要である。この面からみると、現行パジャマズボンは昼間用ズボンの形で製作されているので就寝中布団の中では裾が捲れ上がり足首及び脛部分は常に冷たい布団中に露出冷されており、対策として長年にわたり湯たんぽコタツ電気毛布が必要とされてきた。この欠陥を改善して保温性が良く使い易いパジャマズボンの開発が待たれている。
【先行技術】
【０００３】現行品の欠陥を改善するため足先まで収める裾の長いズボンが考案されているが、長い裾部分の処理に苦慮し、先行文献１．が代表する裾口のゴム類緊締で裾の捲れ上がりを防ぎ、起床時は長い裾を脛部分で止めて裾から足を出し歩く方法の発明があり、先行文献２．はファスナー付閉塞具を裾口に付ける閉塞型の代表であり、、起床中には閉塞具を開いて足を出し裾閉塞部をファスナーで固定して歩行するズボンである。
【先行文献１】
実新３０５９５６９
【先行文献２】
特許番号第３８４８３５９号
【先行技術の問題点】
【０００４】先行文献１．ゴム緊締開口裾型は、就寝中人体の動きと寝具による摩擦などによりゴム類緊締裾口を通って脛まで寝具中に出るので本来の保温の目的をなさず、足露出を防ぐためにゴム緊締めを強くすれば起床中に脛部分を必要以上に強く締め付け血流障害を起こすので緊締め強化も出来ず、起床中も足を脛まで露出するので保温性は無い。
先行文献１．の基本的欠陥を解決すべく開発されたのが、先行文献２．の方法である。
ファスナーで密閉された裾袋内の足は裾口が無いので裾袋から出ることは無く保温性は良い、しかしながら起床中は裾閉塞具を開いて足を露出しているので裾生地を厚くしても閉塞具開口部から流れ込む冷気には全く無力で足首や脛の保温能力は無い。
【考案の開示】
【考案が解決しようとする課題】
【０００５】本考案の課題は、着用中は就寝時起床時を問わず常に踵より上の足部分を裾内部に収めて外部冷気から隔離保温することで、体内で暖められている血液を冷やすことなく環流させ、外部熱源を使用せず生命活動で発生する自己体温を利用して全身保温を可能にするパジャマズボンを提供することである。同時に就寝用衣類である故に、現行パジャマズボン同等に着脱取り扱いが便利で、安全であることが重要である。
【課題を解決する手段】
【０００６】本考案の課題は、新技術、非伸縮性布生地で製作した踵を通さない小口径の裾口（図１．イ）を深い股上の現行品パジャマズボンの裾末端に取り付けることで解決出来る。
【考案の詳細な説明】
【０００７】図１．に本考案品を示す。本考案品は新規技術に関わる部分（Ａ）と既存技術に関わる部分（Ｂ）と（Ｃ）との組み合わせで構成される新しいパジャマズボンである。
（Ａ）部分は新技術「踵を通さない小口径裾口部品（図１．ロ）」を既存ズボンの大口径裾末端に取り付けた裾袋構造を構成する。着用中この裾口は踵を通さないから起床時就寝時共に足首と脛部分は常時裾袋内部にあり、足先のみ裾口から出し入れ出来る。
（Ｂ部分）は現行パジャマズボンの股下部分で現行品の長さである。
（Ｃ部分）現行品深い股上部分である。
【考案品の使用時の特長】
【０００８】（着用、歩行時）現行パジャマズボンと全く同様に股下一杯に着用し裾口から足先を出す。裾口から足先のみを出して安全に歩行出来る。裾を引きずることもなく、スリッパ、部屋履き、サンダル等着用出来る。
（就寝時）足先を裾袋内に入れて寝具にはいる。足の動きで深い股上部が適当に下がり、裾口から踵が出ないので足は全て裾袋内に収まる。就寝中足は裾袋内で動く。足先が裾口から出ても寒さを感じ足を縮めるとゴム緊締が無いので簡単に裾袋内に戻る。
（起床する時）股上部分を引き上げれば、股下部分は現行品の長さに戻り足先が出る。
従って先行技術品（ゴム緊締め裾口型、ファスナー閉塞型）に必須である面倒な起床時裾処理手間は全く必要ない。地震火災等の緊急時にも現行品同様に即時対応出来る。
【考案の効果】
【０００９】（保温性）本考案のパジャマズボンでは、踵より上部分は常に裾袋内に保護さている。
従って寝具の裾冷気や冷たい寝具に触れないので寒さを感じたり循環血液が冷やされることがない。その結果、自己体温で暖められた血液の循環で就寝後短時間で全身が暖まる。就寝中も同様で、電気毛布等の補助保温器具は不要になり節電、エコにつながる、低温火傷の心配も全く無い。特に冬季夜間の起床時、踵より足上部が外部冷気から保護されているので下肢部保温が良好で、下肢部冷えに起因する冷え性や安眠を妨げる頻尿症を改善出来る。
（便利性）本考案パジャマズボンでは、先行技術が最も苦慮した「歩行の為、起床時就寝時に必要な長い裾の処理」は全て不要、股上部分を引き上げれば足先が出て安全に歩行出来る。長い裾を踏む、裾に引っ掛かるなどの歩行トラブルは生じない。
（緊急時対応性）地震火災等の緊急時起床対応も現行パジャマズボン同様である。
【産業、市場性の優位性】
【００１０】深い股上の現行パジャマズボン裾末端（図１．Ａ）に取り付ける「踵を通さない裾口（取り付け部分を備えた数センチの長さ）」を裾口サイズ別に製作し別途準備する。
深い股上の現行パジャマズボンを通常のサイズ別に販売する。販売時店頭にて購入者に合ったサイズの裾口を選択して購入品に取り付けることで全てに対応出来る。
パジャマズボンは直接肌身に着用する衣料故本来個人専用衣類であり、本販売対応方法で問題は生じない。本発明品を製作するに当たって特別な設備方法は必要なく、既存設備で完全に対応出来る。
【図面の簡単な説明】
【００１１】
【図１】足の踵より上部分を常時保温出来るパジャマズボン
【符号の説明】
【００１２】イ．  踵を通さない小口径裾口
ロ．  踵を通さない裾口の取り付け部品（取り付け部分を備えた数センチの長さ）
Ａ．  新技術「踵を通さない小口径裾口」を既存の裾に取り付けた裾袋構造
ロ＋現行品股下部分
Ｂ．  現行パジャマズボンの股下部分（通常踵までの股下長さを持つ）
Ｃ．  現行品深い股上部分
【図１】
0003176367.tif 000003
(57)【要約】      （修正有）【課題】つなぎ服を着たとき、上着を脱がずに用便を簡単に出来るトイレ簡単つなぎ服を提供する。【解決手段】後ろ身頃のウエスト部分を上下に切り離し、ズボンの両脇に２０ｃｍのファスナーを付ける。ウエスト部分の切り離した部分は上着側に幅２．５ｃｍの面ファスナー（メス）を付けズボン側にも幅２．５ｃｍの面ファスナー（オス）を付ける。面ファスナーの付け方は（ウエスト半分背側）、上着側にもズボン側にも、面ファスナーの中央部分に長さ２ｃｍの中央ポイントを置き、その両側を１ｃｍずつ空けそこから両側に向かって面ファスナーを付ける。使用する際はズボンの両脇のファスナーを下げウエストの面ファスナーを開ける。使用後はズボンの両脇のファスナーを閉め中央ポイントの面ファスナーを押さえ両脇に向かって面ファスナーを閉める。【選択図】図２
0003176370.tif 000002
【実用新案登録請求の範囲】
【請求項１】
上着を脱がずに簡単に用便が出来る方法として後ろ身頃のウエスト部分を上下に切り離してみたがそれではお尻が出ないので、ズボンの両脇にファスナー（登録商標）２０ｃｍを付ける事でお尻が出る事が実証されました。ウエスト部分の切り離した部分は上着側に幅２，５ｃｍの面ファスナー（メス）を付けズボン側にも幅２，５ｃｍの面ファスナー（オス）を付ける。上着側に（メス）を付ける理由として、下着やセーター等が面ファスナー（オス）に引っかかるのを予防する為である。面ファスナーの付け方は（ウエスト半分背側）、上着側にもズボン側にも、面ファスナーの中央部分に長さ２ｃｍの中央ポイントを置きその両側を１ｃｍずつ空けそこから両側に向かって面ファスナーを付ける。中央ポイントを付ける理由は目で確認出来ない分上下の真ん中が解るようにポイントを置く。使用する際はズボンの両脇のファスナー（登録商標）を下げウエストの面ファスナーを開ける。使用後はズボンの両脇のファスナー（登録商標）を閉め中央ポイントの面ファスナーを押さえ両脇に向かって面ファスナーを閉める。ここで使用する面ファスナーは、裏側に糊や粘着剤が着いてないものをしようする。
【考案の詳細な説明】
【技術分野】
【０００１】  本考案は、つなぎ服を着た時、用便を簡単にできることである。
【背景技術】
【０００２】  従来の技術では、脱着の際、上下繋がっていたため。仲々服が脱げなかった。
【考案の概要】
【考案が解決しようとする課題】
【０００３】  上着を脱がずに用便ができる。
【課題を解決するための手段】
【０００４】  用便の不自由さを解決する。  後ろ身頃のウエスト部分を切り離す。
【考案の効果】
【０００５】  用便の際、上着を脱がずに用便ができる。又、上着が床に垂れる不潔さもなくなった。そして、急いで用便を済ませたい時便利である。
【図面の簡単な説明】
【０００６】
【図１】  正面図
【図２】  背面図
【図３】  面ファスナーの取り付け位置
【図４】  上着後ろ身頃面ファスナー取り付け位置
【図５】  パンツ後ろ側面ファスナー取り付け位置
【図６】  使用例の図
【考案を実施するための形態】
【０００７】見た目にはあまり変わりないが、後ろ身頃ウエスト部分に、工夫がある。面ファスナーのオスを下部後ろ面に、上部背面にメスをつける。作業服など下に着ているセーターなどが、引っかからないように、工夫した。
【実施例】
【０００８】図４  正面図１のファスナー（登録商標）
を降ろし背面図２の面ファスナーを、両側から開けて、便座に座る。
【産業上の利用可能性】
【０００９】  つなぎ服すべての作業衣、プルオーバー、遊び着、子供服等に応用。
【符号の説明】
【００１０】  １  ファスナー（登録商標）２０ｃｍ
２  面ファスナーの位置
３  後ろ身頃裾、重なり部分
４  ズボンウエスト重なり部分
５  面ファスナー（メス）
６  面ファスナー（オス）
７  面ファスナーステッチ部分
８  中央ポイント（押さえ）面ファスナー（２０ｃｍ）
９  １ｃｍの空き
１０  面ファスナー
１１  上着後ろ身頃裾の面ファスナーの位置
１２  面ファスナー中央ポイント設置の為の目印
１３  面ファスナーの押さえステッチ
１４  ズボンウエスト部分の面ファスナー
【図１】
0003176370.tif 000003
【図２】
0003176370.tif 000004
【図３】
0003176370.tif 000005
【図４】
0003176370.tif 000006
【図５】
0003176370.tif 000007
【図６】
0003176370.tif 000008
【手続補正書】
【提出日】平成24年3月16日(2012.3.16)
【手続補正１】
【補正対象書類名】実用新案登録請求の範囲
【補正対象項目名】全文
【補正方法】変更
【補正の内容】
【実用新案登録請求の範囲】
【請求項１】
後ろ身頃のウエスト部分で上下に分け、その分けられたウエスト部分の上着側中央には２ｃｍの面ファスナー（メス）を付け、ズボン側中央には面ファスナー（オス）をつけ、更に各中央の面ファスナーの両側を１ｃｍずつ空け、そこから両側に向かって面ファスナーをそれぞれつけ、且つ、ズボンの両脇にウエスト部分からのファスナーを付けた事を特徴とする用便簡易つなぎ服である。
(57)【要約】      （修正有）【課題】複数のＬＥＤ照明装置からなる照明システムにおいて、個々のＬＥＤ装置からＡＣ／ＤＣコンバータを分離し、各ＬＥＤ照明装置に一括して直流電力を供給できるＡＣ／ＤＣコンバータを設けることにより、ＡＣ／ＤＣ変換ロスの低減を図ったＬＥＤ照明システムを提供する。【解決手段】ＬＥＤ照明装置Ｂ等に対し、これらの外部に設けたＡＣ／ＤＣコンバータＡにより交流電力から直流電力へ変換し、一括して各ＬＥＤ照明装置に電力供給を行う。この構成により、変換ロスの低減と共に、ＬＥＤ照明装置の内容での熱の発生を抑制し、ＬＥＤの寿命を延長することが出来る。【選択図】図１
0003176396.tif 000002
【実用新案登録請求の範囲】
【請求項１】
交流電力を直流電力に変換するＡＣ／ＤＣコンバーターを有し、直流方式ＬＥＤ照明菅に直流電力供給を行う直流方式ＬＥＤ照明システム。
【請求項２】
交流電力をＡＣ／ＤＣコンバーターで直流電力に変換し、一括して複数の直流方式ＬＥＤ照明菅に直流電力を供給する請求項１の直流方式ＬＥＤ照明システム。
【請求項３】
ＬＥＤ照明菅の外部にＡＣ／ＤＣコンバーダーを接続することで、ＬＥＤ照明菅内に取り付けられたＬＥＤの製品寿命を長く持たせる事のできる請求項１の直流方式ＬＥＤ照明システム。
【考案の詳細な説明】
【考案の詳細な説明】
【技術分野】
【０００１】本考案は直流電力を効率よく利用した直流方式ＬＥＤ照明システムに関するものである。
【背景技術】
【０００２】従来、ＬＥＤ照明装置には小型のＡＣ／ＤＣコンバーターが内蔵されていた。これによって、交流電力を各ＬＥＤ照明装置内で直流に変換していた。
【考案が解決しようとする課題】
【０００３】本考案は交流電力から直流電力に変換する際、一括してＡＣ／ＤＣコンバーターを用い効率よく変換するＬＥＤ照明システムを提供し、外部にＡＣ／ＤＣコンバーターを取り付けることで、ＬＥＤ照明菅内に取り付けられたＬＥＤを長持ちさせることのできるＬＥＤ照明システムを提供するものである。
【課題が解決する為の手段】
【０００４】本考案においては、交流電力供給を受けた際、各照明器具に各々内蔵された小型のＡＣ／ＤＣコンバーターで直流に変換するのではなく、一括してＡＣ／ＤＣコンバーターで交流電力から、直流電力に変換する事を行なった。
【０００５】本考案は、一括してＡＣ／ＤＣコンバーターで交流電力から直流電力に変換するため、従来の変換ロス率３０％が１４％で済むようになった。
【０００６】更に、ＬＥＤ照明菅の外部にＡＣ／ＤＣコンバーターを取り付けることで、従来ＡＣ／ＤＣコンバーターから発生する熱がＬＥＤ照明菅内にこもるのを防ぐ事で、ＬＥＤ照明菅内のＬＥＤの寿命を長く持たせることができた。
【図面の簡単な説明】
【０００７】
【図１】はＡＣ／ＤＣコンバーター（Ａ）で交流電力から直流電力に変換され、ＬＥＤ照明器具（Ｂ）に電力供給を行う事を示すものである。また、
【図２】に示すように、ＬＥＤ照明器具（Ｂ）はＬＥＤ照明菅（Ｃ）及びＬＥＤ照明菅（Ｄ）を有している。
【符号の説明】
【０００８】Ａは、ＡＣ／ＤＣコンバーターである。Ｂは、ＬＥＤ照明器具である。Ｃは、ＬＥＤ照明菅である。Ｄは、ＬＥＤ照明菅である。
【図１】
0003176396.tif 000003
【図２】
0003176396.tif 000004